【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
第１の基板と、
第２の基板と、
前記第１の基板と前記第２の基板との間に挟持された表示素子と、
前記第１の基板又は前記第２の基板の外側に、積層された偏光子を含む層と、を有し、
前記積層された偏光子を含む層が有する複数の偏光子は、互いの透過軸がパラレルニコルからずれるように配置されていることを特徴とする表示装置。
【請求項２】
第１の基板と、
第２の基板と、
前記第１の基板と前記第２の基板との間に挟持された表示素子と、
前記第１の基板又は前記第２の基板の外側に、積層された偏光子を含む層と、
前記第１の基板又は前記第２の基板と、前記積層された偏光子を含む層との間に設けられた位相差板と、を有し、
前記積層された偏光子を含む層が有する複数の偏光子は、互いの透過軸がパラレルニコルからずれるように配置されていることを特徴とする表示装置。
【請求項３】
請求項１又は請求項２において、
前記積層された偏光子を含む層は、一対の保護層の間に設けられていることを特徴とする表示装置。
【請求項４】
請求項１又は請求項２において、
前記積層された偏光子を含む層が有する複数の偏光子の少なくとも一つは、一対の保護層の間に設けられていることを特徴とする表示装置。
【請求項５】
請求項１乃至請求項４のいずれか一項において、
前記積層された偏光子を含む層が有する複数の偏光子は、吸収軸の消衰係数が同じであることを特徴とする表示装置。
【請求項６】
第１の基板と、
第２の基板と、
前記第１の基板と前記第２の基板との間に挟持された表示素子と、
前記第１の基板の外側に、第１の積層された偏光子を含む層と、
前記第２の基板の外側に、第２の積層された偏光子を含む層と、を有し、
前記第１の積層された偏光子を含む層が有する複数の偏光子は、互いの透過軸がパラレルニコルからずれるように配置され、
前記第２の積層された偏光子を含む層が有する複数の偏光子は、互いの透過軸がパラレルニコルとなるように配置されていることを特徴とする表示装置。
【請求項７】
第１の基板と、
第２の基板と、
前記第１の基板と前記第２の基板との間に挟持された表示素子と、
前記第１の基板の外側に、第１の積層された偏光子を含む層と、
前記第２の基板の外側に、第２の積層された偏光子を含む層と、
前記第１の基板と、前記第１の積層された偏光子を含む層との間に設けられた第１の位相差板と、
前記第２の基板と、前記第２の積層された偏光子を含む層との間に設けられた第２の位相差板と、を有し、
前記第１の積層された偏光子を含む層が有する複数の偏光子は、互いの透過軸がパラレルニコルからずれるように配置され、
前記第２の積層された偏光子を含む層が有する複数の偏光子は、互いの透過軸がパラレルニコルとなるように配置されていることを特徴とする表示装置。
【請求項８】
第１の基板と、
第２の基板と、
前記第１の基板と前記第２の基板との間に挟持された表示素子と、
前記第１の基板の外側に、第１の積層された偏光子を含む層と、
前記第２の基板の外側に、第２の積層された偏光子を含む層と、を有し、
前記第１の積層された偏光子を含む層が有する複数の偏光子は、互いの透過軸がパラレルニコルからずれるように配置され、
前記第２の積層された偏光子を含む層が有する複数の偏光子は、互いの透過軸がパラレルニコルとなるように配置され、
前記第１の積層された偏光子を含む層が有する複数の偏光子は、少なくとも前記第１の基板側より順に積層された第１の偏光子及び第２の偏光子を有し、
前記第１の偏光子と、前記第２の積層された偏光子を含む層が有する複数の偏光子とは、互いの透過軸がクロスニコルとなるように配置されていることを特徴とする表示装置。
【請求項９】
第１の基板と、
第２の基板と、
前記第１の基板と前記第２の基板との間に挟持された表示素子と、
前記第１の基板の外側に、第１の積層された偏光子を含む層と、
前記第２の基板の外側に、第２の積層された偏光子を含む層と、
前記第１の基板と、前記第１の積層された偏光子を含む層との間に設けられた第１の位相差板と、
前記第２の基板と、前記第２の積層された偏光子を含む層との間に設けられた第２の位相差板と、を有し、
前記第１の積層された偏光子を含む層が有する複数の偏光子は、互いの透過軸がパラレルニコルからずれるように配置され、
前記第２の積層された偏光子を含む層が有する複数の偏光子は、互いの透過軸がパラレルニコルとなるように配置され、
前記第１の積層された偏光子を含む層が有する複数の偏光子は、少なくとも前記第１の基板側より順に積層された第１の偏光子及び第２の偏光子を有し、
前記第１の偏光子と、前記第２の積層された偏光子を含む層が有する複数の偏光子とは、互いの透過軸がクロスニコルとなるように配置されていることを特徴とする表示装置。
【請求項１０】
請求項６乃至請求項９のいずれか一項において、
前記第２の積層された偏光子を含む層の外側に光源を有することを特徴とする表示装置。
【請求項１１】
請求項６乃至請求項１０のいずれか一項において、
前記第１の積層された偏光子を含む層及び前記第２の積層された偏光子を含む層は、それぞれ一対の保護層の間に設けられていることを特徴とする表示装置。
【請求項１２】
請求項６乃至請求項１０のいずれか一項において、
前記第１の積層された偏光子を含む層が有する複数の偏光子の少なくとも一つは、一対の保護層の間に設けられていることを特徴とする表示装置。
【請求項１３】
請求項６乃至請求項１２のいずれか一項において、
前記第１の積層された偏光子を含む層が有する複数の偏光子は、吸収軸の消衰係数が同じであることを特徴とする表示装置。
【請求項１４】
請求項１乃至請求項１３のいずれか一項において、
前記第１の基板及び前記第２の基板は、それぞれ透光性を有することを特徴とする表示装置。
【請求項１５】
請求項１乃至請求項１４のいずれか一項において、
前記表示素子は、液晶素子であることを特徴とする表示装置。
【請求項１６】
請求項１乃至請求項１４のいずれか一項において、
前記表示素子は、エレクトロルミネッセンス素子であることを特徴とする表示装置。
【請求項１７】
請求項１６において記載された表示装置は、両面発光型の表示装置であることを特徴とする表示装置。
【請求項１８】
請求項１乃至請求項１７のいずれか一項において、
前記第１の基板と前記第２の基板との間に、微結晶状態の半導体材料を用いて設けられたトランジスタを有することを特徴とする表示装置。
【請求項１９】
請求項１乃至請求項１８のいずれか一項に記載の表示装置を有することを特徴とする電子機器。
【請求項２０】
請求項１９において記載された電子機器とは、テレビジョン装置、カメラ、携帯電話装置、携帯情報端末、携帯型ゲーム機、コンピュータ用のモニター、コンピュータ、音響再生装置、または記録媒体を備えた画像再生装置であることを特徴とする電子機器。
【手続補正２】
【補正対象書類名】明細書
【補正対象項目名】００４４
【補正方法】変更
【補正の内容】
【００４４】
このように一対の積層された偏光子を含む層と、位相差板を有する構成において、少なくとも一方、好ましくは視認側において、積層された偏光子がパラレルニコルからずれるように積層することにより、透過軸方向の光漏れを低減することができる。このため表示装置のコントラスト比を高めることができる。
【手続補正３】
【補正対象書類名】明細書
【補正対象項目名】００９４
【補正方法】変更
【補正の内容】
【００９４】
また、基板６００には第３の偏光子を含む層６４３及び第４の偏光子を含む層６４４が積層して設けられ、対向基板６９５にも第１の偏光子を含む層６４１及び第２の偏光子を含む層６４２が積層して設けられている。バックライト側に設けられた第３の偏光子を含む層６４３及び第４の偏光子を含む層６４４はパラレルニコルとなるように配置され、視認側に設けられた第１の偏光子を含む層６４１及び第２の偏光子を含む層６４２はパラレルニコルからずれるように配置される。本発明において、一対の積層された偏光子を含む層のうち、いずれか一方、好ましくは視認側における積層された偏光子の透過軸がずれていることを特徴とする。その結果、コントラスト比を高めることができる。なお、本実施の形態において、第１の偏光子を含む層６４１及び第２の偏光子を含む層６４２の吸収軸の消衰係数は同じである。同様に第３の偏光子を含む層６４３及び第４の偏光子を含む層６４４の吸収軸の消衰係数は同じである。